(57)【要約】【課題】安価な設備でミストを回収できるミストキャッチャを提供する。【解決手段】ワイヤパートの後方で下部ワイヤ４が斜め下向きに走行する部分と、プレスパートＰＰの前方においてピックアップロール２０１　に巻き掛けられたフェルト２０３　が斜め下向きに走行する部分で形成された側面視Ｖ状のＶ字空間を有する抄紙機において、Ｖ字空間の両側部に、Ｖ字空間から側方へ流れる空気を受けとめて下方へ流すガイド筒７１を設けている。このため、エッジカッターでカットされて生じた紙粉も風と一緒にガイド筒７１へ流入し外部へ排出するので、ミストによる汚染を防止できる。設備としてはガイド筒７１を付設するだけでよいので、設備費が低廉ですむ。【選択図】　　　　図１
2004019027.tif 000002
【特許請求の範囲】
【請求項１】
ワイヤパートの後方で下部ワイヤが斜め下向きに走行する部分と、プレスパートの前方においてピックアップロールに巻き掛けられたフェルトが斜め下向きに走行する部分で形成された側面視Ｖ状のＶ字空間を有する抄紙機において、
前記Ｖ字空間の両側部に、Ｖ字空間から側方へ流れる空気流を回収するガイド筒を設けた
ことを特徴とする抄紙機におけるミストキャッチャ。
【請求項２】
前記ガイド筒の出口に、空気とミストを分離するミスト分離機を接続したことを特徴とする請求項１記載の抄紙機におけるミストキャッチャ。
【請求項３】
前記ガイド筒に、該ガイド筒内の空気を吸引する吸引手段が接続された
ことを特徴とする請求項１記載の抄紙機におけるミストキャッチャ。
【発明の詳細な説明】
【０００１】
【発明の属する技術分野】
本発明は、抄紙機におけるミストキャッチャに関する。
【０００２】
【従来の技術】
従来のツインワイヤ式抄紙機を、図４に基づき説明する。
１はフォーミングロール、２はブレストロールで、これらのロール１，２は互いに接近して配置され、後述する上下部フォーミングワイヤのニップ部Ｎを構成している。３は上部フォーミングワイヤ（以下、上部ワイヤという）で、フォーミングロール１と複数のガイドロール１１にエンドレスに巻き掛けられて、ワイヤパートの上半分領域で循環する。４は下部フォーミングワイヤ（以下、下部ワイヤという）で、ブレストロール２と複数のガイドロール１２にエンドレスに巻き掛けられて、ワイヤパートの下半分領域で循環する。
前記上部ワイヤ３がフォーミングロール１に巻き掛けられた部分と、前記下部ワイヤ４がブレストロール２に巻き掛けられた部分は、ワイヤ３，４が互いに接近する方向に走行する部分であり、側面視で漏斗状の開口部５を形成している。そして、開口部の奥底が、フォーミングロール１とブレストロール２で挟まれるニップ部Ｎであり、そこから各ワイヤ３，４の走行方向下流側において、各ワイヤ３，４が重なって走行する領域の内部が紙層を形成するフォーミングゾーンを構成している。
そして、前記開口部に臨むように、ヘッドボックス６が配置されており、紙料懸濁液（以下、紙料液という）を前記ワイヤ３，４間に噴出させるようにしている。このようにして紙料液がフォーミングギャップに供給される。この紙料液は、パルプと水の割合（重量）が約１対１００　の懸濁液である。
【０００３】
上下ワイヤ３，４が合わさって走行するフォーミング部ＦＰにおいては、上部にサクションボックス３０と固定ブレードが設けられ、下部に可動ブレードが設けられている。
このフォーミング部を通過する間に段々と紙層が形成されていく。
そして、上部ワイヤ３と下部ワイヤ４が互いに離れる位置から後方であって、クーチロール１５の直近前方もしくは後方には、エッジカッター１２０　が配置されている。このエッジカッター１２０　は、下部ワイヤ４に載せられて走行する紙の両端の耳部をきれいに切り取る装置である。
【０００４】
図５に示すように、このエッジカッター１２０　は、ノズル１２１　の先端から細い高圧水を噴射するもので、その水流ＷＦを紙層Ｐに貫通させることで、耳端を端正に切り取るようになっている。
【０００５】
【発明が解決しようとする課題】
しかるに、前記エッジカッター１２０　は、プレスパートＰＰのピックアップロール２０１　より少し距離をおいて手前に設けられているが、耳端をカッティングする際に発生したパルプを含んだミストは抄紙機内に発生する空気流に乗って移動する。このため、ミストはプレスパートＰＰの近傍だけでなく、プレスパートＰＰから離れた位置までも飛散するので、紙粉が周辺に雪のように積もり、一晩でその周辺が真白になるという問題がある。
そこで、これらのパルプを含んだミストを回収しようとすれば、ミスト吸引装置やミスト分離装置、排気ブロワーを含んだシステムを構築する必要がある。しかし、このような設備を別途設置した場合、抄紙機の設備費の高騰をもたらす。
【０００６】
本発明はかかる事情に鑑み、安価な設備でミストを回収できるミストキャッチャを提供することを目的とする。
【０００７】
【課題を解決するための手段】
請求項１の抄紙機におけるミストキャッチャはワイヤパートの後方で下部ワイヤが斜め下向きに走行する部分と、プレスパートの前方においてピックアップロールに巻き掛けられたフェルトが斜め下向きに走行する部分で形成された側面視Ｖ状のＶ字空間を有する抄紙機において、前記Ｖ字空間の両側部に、Ｖ字空間から側方へ流れる空気流を回収するガイド筒を設けたことを特徴とする。
請求項２の抄紙機におけるミストキャッチャは、請求項１記載の発明において、前記ガイド筒の出口に、空気とミストを分離するミスト分離機を接続したことを特徴とする。
請求項３の抄紙機におけるミストキャッチャは、請求項１記載の発明において、前記ガイド筒に、該ガイド筒内の空気を吸引する吸引手段が接続されたことを特徴とする。
【０００８】
請求項１の発明によれば、フェルトが斜め下方に走行するときに生ずる風がＶ字空間の底で横向きに方向を変え、ガイド筒に流入する。よって、ガイド筒の入口近傍でエッジカッターでカットされて生じた紙粉も風と一緒にガイド筒へ流入し外部へ排出されるので、ミストによる汚染を防止できる。また、設備としてはガイド筒を付設するだけでよいので、設備費が低廉ですむ。
請求項２の発明によれば、ガイド筒からミストを排出する際に、分離機で空気と水分およびパルプを分離できるので、ミストのみの機外排出を容易にできる。請求項３の発明によれば、ガイド筒内の空気を吸収しているので、Ｖ字空間の空気とともにミストを確実にガイド筒内に吸収することができる。
【０００９】
【発明の実施の形態】
つぎに、本発明の実施形態を図面に基づき説明する。
図１は本発明のミストキャッチャ７０を採用したツインワイヤ式抄紙機の概略側面図である。図２は第１実施形態のミストキャッチャ７０の概略断面図である。図３は第２実施形態のミストキャッチャ７０の概略断面図である。
【００１０】
まず、図１に基づきツインワイヤ式抄紙機の全体構成を説明する。
本発明におけるツインワイヤ式抄紙機の基本構造は、図４に示す従来例と同様であり、フォーミングロール１、ブレストロール２、上部ワイヤ３、下部ワイヤ４、フォーミング部ＦＰを備えている。
下部ワイヤ４の循環経路の後部ではクーチロール１５とガイドロール１２に案内されて、下部ワイヤ４が斜め下方に向けて走行するようになっている。
【００１１】
また、前記フォーミング部ＦＰの後方には、フォーミング部ＦＰと連続するようにプレスパートＰＰが設けられている。このプレスパートＰＰでは、フェルト２０３　がピックアップロール２０１　およびガイドロール２０２　に巻き掛けられて走行しており、このフェルト２０３　はピックアップロール２０１　の部分で下部ワイヤ４上の紙層Ｐを受け取るようになっている。
【００１２】
さて、第１実施形態のミストキャッチャ７０を説明する。
図１および図２に示すように、フォーミング部ＦＰからプレスパートＰＰに紙層Ｐを受け渡す部分、つまりワイヤパートの後方でクーチロール１５によって下部ワイヤ４が斜め下向きに折り曲げられて走行する部分と、プレスパートＰＰの前方においてピックアップロール２０１　に巻き掛けられたフェルト２０３　が斜め下向きに走行する部分の間には、側面視Ｖ状のＶ字空間が形成されている。
このＶ字空間の上流側の両側方には、紙層Ｐの耳端をカットするためのエッジカッターである一対のノズル１２１，１２１　が設けられている。そして、Ｖ字空間の両側において、前記一対のノズル１２１，１２１　の下方近傍には、ミストキャッチャ７０のガイド筒７１，７１が配設されている。各ガイド筒７１は、いずれも、前記Ｖ字空間側に吸引口７１ｈ　が形成されている。そして、各ガイド筒７１の下端には、排出口７１ｄ　が形成されており、このガイド筒７１の排出口７１ｄ　の直下にはミスト受皿７２が配設されている。
【００１３】
このため、フェルト２０３　が斜め下方に走行するときに生ずる風がＶ字空間の底で横向きに方向を変え、ガイド筒７１に流入する。すると、ガイド筒７１の入口近傍において、ノズル１２１　によって紙層Ｐの耳端をカットしたときに発生する紙粉もその風と一緒にガイド筒７１へ流入し、ガイド筒７１を通って排出口７１ｄ　から排出され、ミスト受皿７２上に排出される。
よって、第１実施形態のミストキャッチャ７０によれば、紙層の耳端をカットしたときに発生する紙粉をガイド筒７１によってミスト受皿７２に集めることができるから、抄紙機の周囲に紙粉が飛散することを防ぐことができ、ミストによる汚染を防止できる。
そして、設備としてはＶ字空間の両側方にガイド筒７１を付設するだけでよいので、設備費が低廉ですむ。
【００１４】
つぎに、第２実施形態のミストキャッチャ７０を説明する。
図３に示すように、第２実施形態のミストキャッチャ７０は、第１実施形態のミストキャッチャ７０のガイド筒７１の排出口７１ｄ　に、ミスト誘導用パイプ７３の一端を気密に取り付けたものである。そして、このミスト誘導用パイプ７３の他端には、公知のブロア等の吸引手段７４が接続されている。
このため、吸引手段７４によってガイド筒７１内の空気を吸収すれば、Ｖ字空間の空気とともにミストを確実にガイド筒７１内に確実に吸収することができる。しかも、ガイド筒７１の排出口７１ｄ　と誘導用パイプ７３の一端が気密に接続されているから、紙粉が周囲に飛散することを確実に防ぐことができる。
【００１５】
しかも、前記ガイド筒７１と吸引手段７４の間におけるミスト誘導用パイプ７３には、ミスト分離機７５が介装されている。このミスト分離機７５は、ガイド筒７１から吸引されたミストを、水分およびパルプと、空気とに分離するためのものである。そして、このミスト分離機７５によって分離された空気は前記吸引手段７４に向かって流され、分離された水分およびパルプはミスト分離機７５の下端から機外に排出される。
よって、ガイド筒７１からミストを排出する際に、ミスト分離機７５で空気と水分およびパルプを分離できるので、ミストのみを機外に排出を容易にできるし、吸引手段７４に紙粉が詰まって故障が発生することも防ぐことができる。
【００１６】
【発明の効果】
請求項１の発明によれば、フェルトが斜め下方に走行するときに生ずる風がＶ字空間の底で横向きに方向を変え、ガイド筒に流入する。よって、ガイド筒の入口近傍でエッジカッターでカットされて生じた紙粉も風と一緒にガイド筒へ流入し外部へ排出されるので、ミストによる汚染を防止できる。また、設備としてはガイド筒を付設するだけでよいので、設備費が低廉ですむ。
請求項２の発明によれば、ガイド筒からミストを排出する際に、分離機で空気と水分およびパルプを分離できるので、ミストのみの機外排出を容易にできる。請求項３の発明によれば、ガイド筒内の空気を吸収しているので、Ｖ字空間の空気とともにミストを確実にガイド筒内に吸収することができる。
【図面の簡単な説明】
【図１】本発明のミストキャッチャ７０を採用したツインワイヤ式抄紙機の概略側面図である。
【図２】第１実施形態のミストキャッチャ７０の概略断面図である。
【図３】第２実施形態のミストキャッチャ７０の概略断面図である。
【図４】従来のツインワイヤ式抄紙機の概略側面図である。
【図５】エッジカッター１２０　による紙層Ｐの耳端を切断する状況の説明図である。
【符号の説明】
７０　　ミストキャッチャ
７１　　ガイド筒
７２　　ミスト受皿
７４　　吸引手段
７５　　ミスト分離機
ＰＰ　　プレスパート
【図１】
2004019027.tif 000003
【図２】
2004019027.tif 000004
【図３】
2004019027.tif 000005
【図４】
2004019027.tif 000006
【図５】
2004019027.tif 000007